(57)【特許請求の範囲】
【請求項１】
紙幣搬送路と、該紙幣搬送路に沿って紙幣を搬送する紙幣搬送手段と、真券を内部に保留するスタッカとを少なくとも有し、前記紙幣搬送路を介し搬送された挿入紙幣の真偽を判別して真券を前記スタッカ内に貯留するようにした筐体からなる装置本体と、前記紙幣搬送路に連通する紙幣挿入口が形成され、前記該装置本体の正面を覆うフロントカバーとを少なくとも有する紙幣処理装置において、
前記装置本体を前記フロントカバーに対し回動自在に支承するとともに、前記装置本体を前記フロントカバーに対し着脱自在に支承する支承手段を具え、該支承手段により、異なるタイプの前記装置本体を前記フロントカバーに対し回動自在に支承させるとともに、前記装置本体を前記フロントカバーに対し着脱自在に支承させるようにしたことを特徴とする紙幣処理装置。
【請求項２】
前記支承手段は、前記フロントカバーに差し渡された軸と、前記装置本体に配設され、前記軸に係合する係合部材からなることを特徴とする請求項（１）記載の紙幣処理装置。
【請求項３】
前記装置本体は、挿入紙幣を１枚前記紙幣搬送路に一時保留する紙幣１枚エスクロ式装置本体であることを特徴とする請求項（１）記載の紙幣処理装置。
【請求項４】
前記装置本体は、挿入紙幣を３枚前記紙幣搬送路に一時保留する紙幣３枚エスクロ式装置本体であることを特徴とする請求項（１）記載の紙幣処理装置。
【請求項５】
前記装置本体は、前記スタッカ内に貯留した紙幣を払い出す紙幣払い出し手段を有する装置本体であることを特徴とする請求項（１）記載の紙幣処理装置。
【請求項６】
前記装置本体と前記フロントカバーとの間には、前記装置本体を前記フロントカバーに位置決め支承させるラッチ手段が介在されていることを特徴とする請求項（１）記載の紙幣処理装置。
【発明の詳細な説明】
【０００１】
【発明の属する技術分野】
この発明は、自動販売機、両替機、またはパチンコ玉貸機やメタル貸機等のサービス機器に使用される紙幣処理装置の改良に関する。
【０００２】
【従来の技術】
一般に、自動販売機、両替機、およびパチンコ玉貸機やメタル貸機等のサービス機器には、投入された紙幣の真偽を判別し、真券をスタッカ内に貯留する、いわゆる紙幣処理装置が配設されているものがある。
【０００３】
この紙幣処理装置としては、各種タイプのものが用意されている。
例えば、紙幣１枚を紙幣搬送路に保留し、商品が払い出された後に、その保留した紙幣をスタッカ内に貯留する、いわゆる１枚エスクロ式の紙幣処理装置があり、また、紙幣３枚を保留し、商品が払い出された後に、その保留した紙幣をスタッカ内に貯留する、いわゆる３枚エスクロ式の紙幣処理装置等がある。
さらに、スタッカ内に収容された紙幣を紙幣搬送口から払い出すことのできる、いわゆる払い出し式紙幣処理装置もある。
【０００４】
一方、これら各種タイプの紙幣処理装置のサイズは、その機能に応じてそれぞれ異なっている。
【０００５】
また、これら各種タイプの紙幣処理装置に配設された紙幣挿入口を有するフロントカバーと、上述した紙幣の搬送、紙幣の真偽判定、紙幣の一時保留、紙幣のスタック、スタッカーからの紙幣払出等の各種各機能を有する装置本体は、一体に固定されている構造であった。
【０００６】
【発明が解決しようとする課題】
ところで、上述した従来の紙幣処理装置によると、サービス機器に装着された紙幣処理装置を異なるタイプのものに変更しようとする場合、たとえば、１枚エスクロ式の紙幣処理装置から３枚エスクロ式の紙幣処理装置に変更しようとする場合は、その紙幣処理装置のサイズ全体が異なるため、紙幣処理装置が装着されるサービス機器のフロントドア等を、各種タイプの紙幣処理装置に対応したものに交換しなければならず、その作業が煩雑である難点があった。
【０００７】
この発明は、上述した事情に鑑み、異なるタイプの紙幣処理装置を簡単に交換することのできる紙幣処理装置を提供することを目的とする。
【０００８】
【課題を解決するための手段】
上述した課題を解決するため、この発明では、紙幣搬送路と、該紙幣搬送路に沿って紙幣を搬送する紙幣搬送手段と、真券を内部に保留するスタッカとを少なくとも有し、前記紙幣搬送路を介し搬送された挿入紙幣の真偽を判別して真券を前記スタッカ内に貯留するようにした筐体からなる装置本体と、前記紙幣搬送路に連通する紙幣挿入口が形成され、前記該装置本体の正面を覆うフロントカバーとを少なくとも有する紙幣処理装置において、前記装置本体を前記フロントカバーに対し回動自在に支承するとともに、前記装置本体を前記フロントカバーに対し着脱自在に支承する支承手段を具え、該支承手段により、異なるタイプの前記装置本体を前記フロントカバーに対し回動自在に支承させるとともに、前記装置本体を前記フロントカバーに対し着脱自在に支承させるようにしている。
【０００９】
【発明の実施の形態】
以下、この発明に係わる紙幣処理装置の一実施例を詳述する。
なお、この実施例のうち第１実施例としては、紙幣１枚を紙幣搬送路に一時保留して商品が払い出された後に、その保留した紙幣をスタッカ内に貯留する、いわゆる１枚エスクロ式の紙幣処理装置について詳述する。
図１は、１枚エスクロ式の紙幣処理装置１の概念側面図である。
この発明の紙幣処理装置１は、図１で示すように、略矩形状の筐体からなる装置本体２と、装置本体２の正面２ａ全体を覆うフロントカバー１２と、装置本体２をフロントカバー１２に対し回動自在に支承するとともに、装置本体２をフロントカバー１２に対し着脱自在に支承する支承手段１９と、該支承手段１９により支承された装置本体２をフロントカバー１２に位置決め支承させるラッチ手段２３と、フロントカバー１２に対する装置本体２の回動角度を調整する回動ストッパー手段２６とから構成されている。
【００１０】
このうち、略矩形状の筐体からなる装置本体２は、一点鎖線で示す紙幣搬送路３であって、紙幣１枚をその途中で一時保留する１枚保留機能を有する紙幣搬送路３と、該紙幣搬送路３に沿って挿入紙幣を搬送する紙幣搬送手段４と、この紙幣搬送手段４を駆動する図示せぬ駆動モータと、該駆動モータの駆動力を紙幣搬送手段４の下プーリ８に伝達する図示せぬ動力伝達手段と、前記紙幣搬送路３を介し搬送された紙幣の真偽を判別する図示せぬ紙幣識別手段と、該紙幣搬送路３の下流に配設され、真券と判断された紙幣を貯留するスタッカ１０とから構成されている。
【００１１】
このうちの紙幣搬送手段４は、上、下プーリ７、８とこの各プーリ７、８間に巻回された搬送ベルト９からなり、このうち、上、下プーリ７、８は支持板６に支承され、さらにこの支持板６は軸５を介し装置本体２の正面２ａ側に向け回動自在に支承されている。
なお、この紙幣搬送手段４の搬送ベルト９には図示せぬアイドルローラが圧接し、下プーリ８に動力が伝達されると、下プーリ８に従動して搬送ベルト９が一方向または他方向に回転する。このように搬送ベルト９が一方向または他方向に回転すると、図示せぬアイドルローラが搬送ベルト９の回転に従動し、挿入紙幣を当該搬送ベルト９とアイドルローラとの間に把持して搬送する。
なお、上、下プーリ７、８を支承する支持板６は、図１の初期位置では、当該支持板６と装置本体２との間に介在された図示せぬラッチ手段により装置本体２の上段に位置決め支承されている。
【００１２】
また、装置本体２の正面２ａを覆うフロントカバー１２は、紙幣搬送路３に連通する紙幣挿入口１３を形成したフロントマスク１４と、該フロントマスク１４をその正面に固着し、背面で装置本体２の正面２ａ全体を覆う断面略コの字形状の枠体１５とから構成されている。
なお、このフロントカバー１２の枠体１５には、その上端に第２の軸１６を支承した取っ手１７が延設されており、また下端には幅方向へ向け互いに対向するように一対の舌片１８が形成されている。
【００１３】
また、装置本体２をフロントカバー１２に対し着脱自在に支承する支承手段１９は、フロントカバー１２の下端に差し渡された第１の軸２０と、装置本体２の下端に配設され、前記第１の軸２０に係合する第１の係合部材２１とから構成されている。
このうち、第１の軸２０は、フロントカバー１２の下端から延設された舌片に固着された一対のリブ２２間に差し渡されて支承されている。また、第１の係合部材２１には、装置本体２の下端に配設されたＵ字形状の切り欠き部材であって、前記装置本体２の前記正面２ａ側で前記第１の軸２０に係合する円弧形状の切り欠２１ａが形成されている。
このような支承手段１９によれば、第１の固着リブ２２に差し渡された第１の軸２０に、第１の係合部材２１の円弧形状の切り欠２１ａを係合することにより、装置本体２をフロントカバー１２に対し着脱自在、かつ回動自在に支承することができることとなる。
【００１４】
また、ラッチ手段２３は、フロントカバー１２の上端で、第２の軸１６を介しフロントカバー１２の枠体１５に回動自在に支承されている係合爪２４と、装置本体２の上端に配設され、前記係合爪２４に係合する第２の係合部材２５とから構成される。
なお、図１の初期位置では、このラッチ手段２３により装置本体２はフロントカバー１２に位置決め支承されている。
また、回動ストッパー手段２６は、装置本体２の下端に突設された第３の軸２７と、該第３の軸２７が嵌挿する円弧形状の回動用案内溝２８とから構成され、この回動用案内溝２８は、枠体１５の舌片１８に形成されている。
また、回動用案内溝２８を形成した舌片１８の一部には、フロントカバー１２に装置本体２を着脱する際に、第３の軸２７を案内する一端開放の切り欠き３０が形成されている。
【００１５】
このような紙幣処理装置１によると、紙幣が紙幣挿入口１３から挿入されたことが図示せぬ挿入センサにより検出されると、図示せぬ駆動モータが駆動し、該駆動モータの駆動力は、装置本体２の動力伝達手段を介して下プーリ８に伝達され、紙幣搬送手段４の搬送ベルト９が時計方向に回転駆動する。この搬送ベルト９の回転駆動により、挿入紙幣は紙幣搬送手段４の搬送ベルト９と図示せぬ前記アイドルローラに挟持され、紙幣搬送路３に沿って下流に搬送される。その後図示せぬ紙幣識別手段により紙幣の真偽が判別され、偽券と判断された場合は、駆動モータが逆回転して搬送ベルト９を反転させ、当該偽券と判断された挿入紙幣を紙幣挿入口１３から返却する。
また、挿入紙幣が図示せぬ紙幣識別手段により真券と判断された場合は、その検出信号に基づき搬送ベルト９は時計方向の回転を維持するので、紙幣は、さらに紙幣搬送路３下流に搬送され、その紙幣搬送路３の途中で一時保留される。  次に、図示せぬ制御手段の商品の払い出しの完了信号に基づき駆動モータが駆動されると、紙幣１枚保留状態が解除される。これにより、搬送ベルト９が時計方向に再回転し、保留されていた紙幣は、さらに下流の紙幣搬送路３に沿って搬送され、しかる後、装置本体２の下方のスタッカ１０内に積載収容される。
【００１６】
次に、上述した紙幣処理装置１のフロントカバー１２と装置本体２の着脱動作について説明する。
図２乃至図６は、この紙幣処理装置１のフロントカバー１２と装置本体２の着脱の手順を示す概念側面図であり、図１と同一部分を同一符号で示す。
【００１７】
上述した紙幣処理装置１によると、図２のように離脱された装置本体２をフロントカバー１２に装着する場合は、図２の矢印Ａのように、装置本体２の側方に突設された第３の軸２７をフロントカバー１２の切り欠き３０に嵌挿するとともに、図３で示すように第３の軸２７が切り欠き３０の下方にある回動用案内溝２８に当接するまで装置本体２を切り欠き３０に沿って移動する。
そして、装置本体２を第３の軸２７を中心に時計方向に回転させるとともに、図３の矢印Ｂで示すように、回動用案内溝２８に当接した第３の軸２７が回動用案内溝２８の下端２８ａに当接するまで装置本体２を回動用案内溝２８の内側２８ｂに沿って移動し、その後、図４で示すように、支承手段１９の第１の軸２０と第１の係合部材２１とを係合させる。
次に、図４の矢印Ｃのように装置本体２を第１の軸２０を中心に反時計方向に回転し、ラッチ手段２３の係合爪２４を第２の軸１６を中心に反時計方向に回転して装置本体２の第２の係合部材２５と係合させると、図１で示すように、装置本体２をフロントカバー１２に装着することができる。
【００１８】
また、図１で示す紙幣処理装置１のフロントカバー１２と、装置本体２を離脱する場合は、図５で示すようにラッチ手段２３の係合爪２４を第２の軸１６を中心に反時計方向に回転して、装置本体２の第２の係合部材２５との係合を解除するとともに、図５で示す矢印Ｄのように装置本体２を第１の軸２０を中心に時計方向に回転させる。
なお、第３の軸２７は、図４で示すように、回動用案内溝２８の下端２８ａに当接するまで、回動用案内溝２８に沿って下方に移動する。また、このとき、紙幣搬送手段４が配設されている装置本体２の正面２ａ上方に紙幣搬送手段４の開放スペースが形成されるから、第４の軸５を中心に紙幣搬送手段４の支持板６を反時計方向に回転させると、紙幣搬送手段４の搬送ベルト９の交換、または図示せぬ紙幣識別手段の清掃を行うスペースが形成され、このスペースを利用して紙幣搬送手段４の搬送ベルト９の交換、または図示せぬ紙幣識別手段の清掃を行うことが可能である。
また、図４で示すように、回動ストッパー手段２６により装置本体２の回動は制限されるため、オペレーターは紙幣搬送手段４の搬送ベルト９の交換、または紙幣識別手段の清掃の際にも装置本体２を支える必要はない。
【００１９】
次に、図６で示すように、回動用案内溝２８の下端２８ａに当接した第３の軸２７を中心に、装置本体２を時計方向に回転するとともに、第１の軸２０と第１の係合部材２１との係合を解除し、その後、第３の軸２７が切り欠き３０の縁３０ａに当接するまで、図６で示す矢印Ｆのように、装置本体２を回動用案内溝２８の外側２８ｃに沿って移動し、さらに切り欠き３０の縁３０ａに当接した第３の軸２７が、図３で示す矢印Ｇのように、切り欠き３０から脱出するまで、装置本体２を切り欠き３０に沿って移動すると、図２で示すようにフロントカバー１２から装置本体２を離脱することができる。
【００２０】
このように、この発明の紙幣処理装置１では、装置本体２をフロントカバー１２に対し回動自在に支承するとともに、装置本体２をフロントカバー１２に対し着脱自在に係合する支承手段１９を具備するようにしたから、装置本体２に配設されている紙幣搬送手段４、図示せぬ駆動モータ、図示せぬ動力伝達手段等の故障による修理や保守点検の際には、装置本体２を簡単に離脱することができ、さらに修理または保守点検がされた装置本体２を簡単にフロントカバー１２に装着することができる。
【００２１】
したがって、この発明の紙幣処理装置１を装着した自動販売機では、自動販売機の一定位置に取り付けられた紙幣処理装置１全体を工具等を使用して自動販売機本体から離脱することなく、自動販売機の一定位置に取り付けられたフロントカバー１２から装置本体２のみを取り外して、その修理または保守点検を簡単に行うことができることとなる。
【００２２】
また、この発明の紙幣処理装置１では、支承手段１９を介し装置本体２をフロントカバー１２に対し回動自在に支承するとともに、フロントカバー１２に対し装置本体２を着脱自在に係合させるようにしたから、異なるタイプの装置本体であっても、同一構造の支承手段１９を有する装置本体であれば、その装置本体をフロントカバー１２に対し簡単に交換することができ、従来のようにタイプのことなる紙幣処理装置を交換する場合は、紙幣挿入口１３を有するフロントカバー１２を含め紙幣処理装置１全体を交換する作業を行うことなく、タイプの異なる装置本体２のみを交換することにより、紙幣処理装置１を異なるタイプのものに変更することができる。
【００２３】
図１と同一部分を同一符号で示す図７は、各種タイプの紙幣処理装置を構成する各種タイプの装置本体４２、５２、６２を示す概念側面図である。
図７（ａ）で示す装置本体４２は、高さ方向に長く、紙幣搬送距離が延長されその間に紙幣を３枚一時保留することができる紙幣搬送路４３と、紙幣搬送路４３に沿って紙幣を搬送する紙幣搬送手段４４とから構成される装置本体４２である。
図７（ｂ）で示す装置本体５２は、奥行き方向に長く、紙幣搬送距離が延長されその間に紙幣を３枚一時保留することができる紙幣搬送路５３と、該紙幣搬送路５３に沿って紙幣を搬送する紙幣搬送手段５４とから構成される装置本体５２である。
なお、上述した各装置本体４２、５２はその下端の同一位置に同一サイズ、同一構造の支承手段１９が形成されている。
【００２４】
上述した各種タイプの装置本体４２、５２がオプションとしてある場合、例えば、図１で示す１枚エスクロ式の紙幣処理装置１を、紙幣３枚を保留して商品が払い出された後に、その保留した紙幣を、スタッカ内に貯留する、いわゆる３枚エスクロ式の紙幣処理装置に変更しようとする際は、図１のフロントカバー１２をそのままの状態に維持したまま、装置本体２のみをフロントカバー１２から離脱し、該フロントカバー１２に、図７（ａ）、または図７（ｂ）で示す紙幣３枚保留式装置本体４２、５２を、前述した手順で装着すれば、図１、図７（ａ）と同一部分を同一符号で示す図８、または図１、図７（ｂ）と同一部分を同一符号で示す図９のように、それぞれ、３枚エスクロ式の紙幣処理装置４１、５１に交換することができることとなる。
【００２５】
一方、図７（ｃ）は、スタッカ１０内に収容された紙幣を払い出すピックアップローラ６６と、紙幣搬送手段６４とからなる紙幣払い出し手段６５を具えた装置本体６２である。
なお、上述した各装置本体４２、５２はその下端の同一位置に同一サイズ、同一構造の支承手段１９が形成されている。また、符号６３は紙幣搬送路を示している。
【００２６】
このようなタイプの装置本体６２がオプションとしてある場合、例えば、図１で示す１枚エスクロ式の紙幣処理装置１を、紙幣払い出し式の紙幣処理装置に変更しようとする場合も、図１の装置本体２をフロントカバー１２から離脱し、該フロントカバー１２に、図７（ｃ）で示す紙幣払い出し手段６５を配設した装置本体６２を、上述した手順で装着すれば、図１、図７（ｃ）と同一部分を同一符号で示す図１０のように、払い出し式の紙幣処理装置６１に簡単に交換することができることとなる。
【００２７】
従って、この発明の紙幣処理装置を装着した自動販売機では、使用目的に応じオプションとして設けられた各種装置本体２、４２、５２、６２を自動販売機の一定位置に取り付けられた同一構造のフロントマスク１２に選択的に装着することができるので、使用目的に応じた自動販売機を簡単に提供することができることとなる。
【００２８】
なお、この実施例の紙幣処理装置１では回動ストッパー手段２６を配設したが、これに限定するものではなく、たとえば、紙幣処理装置１を回動ストッパー手段２６を配設しないで構成してもよい。
【００２９】
【発明の効果】
以上説明したように、この発明の紙幣処理装置では、装置本体をフロントカバーに対し回動自在に支承するとともに、装置本体をフロントカバーに対し着脱自在に係合する支承手段を具え、該支承手段により、異なるタイプの前記装置本体を前記フロントカバーに対し回動自在に支承させるとともに、前記装置本体を前記フロントカバーに対し着脱自在に支承させるようにしたから、従来のように紙幣挿入口を有するフロントカバーを含め、紙幣処理装置全体を交換する作業を行うことなく、装置本体のみを交換することができ、これにより紙幣処理装置を異なるタイプのものに変更することができる。したがって、この発明の紙幣処理装置では、各種タイプの装置本体を自動販売機の一定位置に取り付けられた同一のフロントマスクに着脱自在に装着することができ、このため異なるタイプの紙幣処理装置を自動販売機、両替機、またはパチンコ玉貸機やメタル貸機等のサービス機器に簡単に設置することができる。
【００３０】
また、この発明の紙幣処理装置では、装置本体をフロントカバーに対し回動自在に支承するとともに、装置本体をフロントカバーに対し着脱自在に係合する支承手段を具備するようにしたから、装置本体に配設されている紙幣搬送手段、図示せぬ駆動モータ、図示せぬ動力伝達手段等の故障による修理や保守点検の際には、装置本体を簡単に離脱することができ、さらに修理または保守点検がされた装置本体を、装置本体が離脱されたフロントカバーに装着することができる。
【００３１】
したがって、この発明の紙幣処理装置からなる自動販売機では、自動販売機の一定位置に取り付けられた紙幣処理装置を工具等を使用して自動販売機本体から離脱することなく、紙幣処理装置の修理または保守点検を簡単に行うことができ、これにより自動販売機、両替機、またはパチンコ玉貸機やメタル貸機等のサービス機器の修理、保守点検の効率化を図ることができる。
【図面の簡単な説明】
【図１】図１は、この発明の紙幣処理装置の概念平面図。
【図２】図２は、この発明の紙幣処理装置のフロントカバーと装置本体の着脱の手順を示す概念平面図。
【図３】図３は、この発明の紙幣処理装置のフロントカバーと装置本体の着脱の手順を示す概念平面図。
【図４】図４は、この発明の紙幣処理装置のフロントカバーと装置本体の着脱の手順を示す概念平面図。
【図５】図５は、この発明の紙幣処理装置のフロントカバーと装置本体の着脱の手順を示す概念平面図。
【図６】図６は、この発明の紙幣処理装置のフロントカバーと装置本体の着脱の手順を示す概念平面図。
【図７】図７は、第２乃至第４の実施例の紙幣処理装置を構成する装置本体の概念平面図。
【図８】図８は、図７（ａ）で示す装置本体から構成される第２の実施例の紙幣処理装置の概念平面図。
【図９】図９は、図７（ｂ）で示す装置本体から構成される第３の実施例の紙幣処理装置の概念平面図。
【図１０】図１０は、図７（ｃ）で示す装置本体から構成される第４の実施例の紙幣処理装置の概念平面図。
【符号の説明】
１、４１、５１、６１…紙幣処理装置
３、４３、５３、６３…紙幣搬送路
４、４４、５４、６４…紙幣搬送手段
１０…スタッカ
２、４２、５２、６２…装置本体
１３…紙幣挿入口
１２…フロントカバー
１９…支承手段
２０…第１の軸
２１…第１の係合部材
６５…紙幣払い出し手段
２３…ラッチ手段
【図１】
0003597022.tif 000002
【図２】
0003597022.tif 000003
【図３】
0003597022.tif 000004
【図４】
0003597022.tif 000005
【図５】
0003597022.tif 000006
【図６】
0003597022.tif 000007
【図７】
0003597022.tif 000008
【図８】
0003597022.tif 000009
【図９】
0003597022.tif 000010
【図１０】
0003597022.tif 000011